(57)【要約】【課題】簡易な構造を有し、リール線の絡みを防止する照明昇降装置を提供する。【解決手段】上端がサスバトンと連結され、サスバトンに吊るされる照明昇降装置であって、リール線巻取面を含み、長手方向を縦にした状態で設置されたリールであって、リールは、電動モータと連結し、電動モータによって短手方向の面の軸を中心に回転する、リールと、リールの回転によって、リール線巻取面に巻き取られるリール線と、リール線巻取面と対向したリール線接触部を含み、リールと平行して設置された巻取ガイドであって、リール線巻取面とリール線接触部との間の距離は、リール線の直径以下である、巻取ガイドと、リール線の先端に取り付けられ、照明昇降装置の下方に吊るされる被昇降物を接続するためのコネクタとを備え、巻取ガイドは、リールの回転に沿って逆回転し、リール線は、リール線巻取面とリール線接触部との間を通ることを特徴とする。【選択図】図３
2017195119.tif 000002
【特許請求の範囲】
【請求項１】
上端がサスバトンと連結され、前記サスバトンに吊るされる照明昇降装置であって、
リール線巻取面を含み、長手方向を縦にした状態で設置されたリールであって、前記リールは、電動モータと連結し、前記電動モータによって短手方向の面の軸を中心に回転する、リールと、
前記リールの回転によって、前記リール線巻取面に巻き取られるリール線と、
前記リール線巻取面と対向したリール線接触部を含み、前記リールと平行して設置された巻取ガイドであって、前記リール線巻取面と前記リール線接触部との間の距離は、前記リール線の直径以下である、巻取ガイドと、
前記リール線の先端に取り付けられ、前記照明昇降装置の下方に吊るされる被昇降物を接続するためのコネクタと
を備え、
前記巻取ガイドは、前記リールの回転に沿って逆回転し、
前記リール線は、前記リール線巻取面と前記リール線接触部との間を通る
ことを特徴とする照明昇降装置。
【請求項２】
前記リール線巻取面と対向し、前記リール線を案内するガイドリングを含み、前記リールと平行して設置されたガイドネジをさらに備え、
前記ガイドネジは、前記リールの回転と連動して回転し、前記ガイドリングの軸孔に挿通され、
前記ガイドリングは、前記ガイドネジの回転と連動して回転して、前記リール線巻取面に巻き取られた前記リール線の最上部と対向するように前記ガイドネジに沿って上下移動する
ことを特徴とする請求項１に記載の照明昇降装置。
【請求項３】
前記リール線巻取面と対向したリール線固定部およびガイドブロックを含み、前記リールと平行して設置されたガイドネジをさらに備え、
前記リール線固定部は、前記ガイドネジの下方に設置され、前記リール線巻取面の長手方向の下部と対向し、
前記ガイドネジは、前記リールの回転と連動して回転して、前記ガイドブロックの軸孔に挿通され、
前記ガイドブロックは、前記ガイドネジの回転と連動して、前記ガイドネジに沿って上下移動し、
前記リール線巻取面と前記リール線固定部との間の距離は、前記リール線の直径未満であり、
前記リール線は、前記リール線巻取面に巻き取られるときに、前記リール線固定部と前記ガイドブロックの間を通って前記リール線巻取面の下方から上方に向かって案内される
ことを特徴とする請求項１に記載の照明昇降装置。
【請求項４】
前記リール線巻取面と対向し、前記リールと平行して設置された支柱をさらに備え、
前記リール線巻取面と前記支柱との間の距離は、前記リール線の直径以上であり、かつ前記リール線の直径の２倍未満である
ことを特徴とする請求項１乃至３のいずれか一項に記載の照明昇降装置。
【請求項５】
前記リールの下方に設置され、前記リール線が接触することによって回転するクラッチをさらに備え、
前記リール線は、前記クラッチに沿って前記照明昇降装置の下方に案内され、
前記クラッチは、
前記リール線が前記リール線巻取面から巻き解かれるときに、前記リール線の動きに沿って回転し、
前記リール線が前記リール線巻取面から巻き取られるときに、前記リール線の動きに沿って回転しない
ことを特徴とする請求項１乃至４のいずれか一項に記載の照明昇降装置。
【発明の詳細な説明】
【技術分野】
【０００１】
本発明は、照明昇降装置に関し、特に、舞台演出において舞台の上方から照明光を照射する照明素子を昇降させる照明昇降装置に関する。
【背景技術】
【０００２】
演劇やダンスなど、表現者が作品を演じるのを支援する舞台演出において、舞台照明装置が使用されている。舞台照明装置は、舞台の上方から光を照射する照明装置、舞台の床面から光を照射する照明装置、舞台の横から光を照射する照明装置、および観客席から光を照射する照明装置など、設置場所により大まかに分類される。舞台の上方から光を照射する照明装置（以下、「舞台上方照明装置」）は、照明素子をリール線につないでサスバトンに吊るすことによって、照明素子を昇降させる。サスバトンは、器具接続用電源コンセントが組み込まれたコンセントボックスを有する装置である。照明素子は、電動モータによってリール線をリールに巻き取り、およびリールから巻き解くことによって昇降する。
【０００３】
特許文献１に記載されているように、照明素子の昇降および光を制御し、舞台演出を行う照明装置が存在する。当該照明装置は、リール線につながれた照明素子のリールへの巻き取りおよびリールからの巻き解きによって照明素子を昇降させる照明昇降装置を有する。照明昇降装置と照明素子とをつなぐリール線の長さ、および照明素子の光を経時的に変化させることによって、三次元演出が行われる。
【先行技術文献】
【特許文献】
【０００４】
【特許文献１】特許第５９７１４６６７３号
【特許文献２】特開平０７−２１１１２７号公報
【発明の概要】
【発明が解決しようとする課題】
【０００５】
舞台上方照明装置では、舞台演出をより華やかにするために、サスバトンに複数の照明素子が吊るされることが多い（つまり、サスバトンには複数の照明昇降装置が吊るされる）。このような背景から、多数の照明昇降装置が吊るされることによって、サスバトンには甚大な負荷がかかることになる。また、照明昇降装置の重量が大きいほど、舞台演出の最中に照明昇降装置が落下してしまう危険性が増す。このことから、照明昇降装置がより軽量かつ簡易な構造を有することが望まれる。
【０００６】
加えて、舞台上方照明装置は、舞台演出の最中に照明素子の昇降を行うので、照明素子の昇降が円滑に行われることが望ましい。しかしながら、上述した照明昇降装置では、リール線をリールに巻き取る際のリール線のズレ（図１（ａ）参照）および／または弛み（図１（ｂ）参照）などによって、リール線が絡まり、照明素子の昇降が停止してしまうことがある。このような事象は、舞台演出では致命的であり、上述したズレおよび／または弛みが発生しないことが望まれる。
【０００７】
特許文献２は、巻取装置３により電源コード９を常にたるみなく張る昇降式照明器具を開示している。しかしながら、特許文献２に係る昇降式照明器具は、巻取装置３による電源コード９の巻き込み力によりたるみを防止しているにすぎない。また、巻取装置の巻き込み力を電源コードの繰り出し部分の重量に相当する力に設定することによって、照明器具の昇降速度を安定させているにすぎない。このことから、特許文献２に係る昇降式照明器具は、リール線を巻き取る際のズレおよび／または弛みなどの発生を十分に防止するものではない。
【０００８】
本発明は、このような問題に鑑みてなされたものであり、軽量かつ簡易な構造を有し、リール線を巻き取る際のズレおよび／または弛みなどの発生を防止する照明昇降装置を提供することを目的とする。
【課題を解決するための手段】
【０００９】
上記の課題を解決するために、本発明に係る照明昇降装置は、上端がサスバトンと連結され、前記サスバトンに吊るされる照明昇降装置であって、リール線巻取面を含み、長手方向を縦にした状態で設置されたリールであって、前記リールは、電動モータと連結し、前記電動モータによって短手方向の面の軸を中心に回転する、リールと、前記リールの回転によって、前記リール線巻取面に巻き取られるリール線と、前記リール線巻取面と対向したリール線接触部を含み、前記リールと平行して設置された巻取ガイドであって、前記リール線巻取面と前記リール線接触部との間の距離は、前記リール線の直径以下である、巻取ガイドと、前記リール線の先端に取り付けられ、前記照明昇降装置の下方に吊るされる被昇降物を接続するためのコネクタとを備え、前記巻取ガイドは、前記リールの回転に沿って逆回転し、前記リール線は、前記リール線巻取面と前記リール線接触部との間を通ることを特徴とする。
【発明の効果】
【００１０】
本発明に係る照明昇降装置が有する構造によれば、リール線と接触する巻取ガイドを設置することのみによってリール線のズレおよび／または弛みを防止することができる。また、ズレおよび／または弛みを防止するための他の構成要素を不要とし、軽量かつ簡易な構造を実現することができる。
【図面の簡単な説明】
【００１１】
【図１】従来技術に従った、照明昇降装置の例を示す図である。
【図２】本発明の第１の実施形態に従った、照明装置全体を示す図である。
【図３】本発明の第１の実施形態に従った、照明昇降装置全体を示す図である。
【図４】本発明の第１の実施形態に従った、リールおよび巻取ガイドの詳細を示す図である。
【図５】本発明の第１の実施形態に従った、リール、リール線および巻取ガイドの関係を示す断面図である。
【図６】本発明の第１の実施形態に従った、リールおよび支柱の詳細を示す図である。
【図７】本発明の第１の実施形態に従った、リール、リール線および支柱の関係を示す断面図である。
【図８】本発明の第１の実施形態に従った、リール線をリールに巻き取る状態を示す図である。
【図９】本発明の第２の実施形態に従った、リール線固定部およびガイドリングを備える照明昇降装置を示す図である。
【図１０】本発明の第３の実施形態に従った、照明装置全体を示す図である。
【図１１】本発明の第４の実施形態に従った、照明装置全体を示す図である。
【発明を実施するための形態】
【００１２】
添付図面を参照して、本発明に係る照明昇降装置を説明する。本発明に係る照明昇降装置は、長手方向を縦にした状態で吊るされて使用される。用語「上方」、「下方」、「上部」、「下部」、「上端」および「下端」はそれぞれ、地上を基準として、縦に吊るされた照明昇降装置の上または下を意味する。
【００１３】
＜第１の実施形態＞
図２は、本発明の第１の実施形態に従った、照明装置全体を示す図である。本発明に係る照明装置は、照明昇降装置１、サスバトン２、および照明素子３を備える。照明昇降装置１は、上端がサスバトン２に連結されて、サスバトン２に吊るされる。図２に示すように、照明昇降装置１は、長手方向を縦にした状態で吊るされる。照明昇降装置１は、内部に設置された電動モータでリールを回転させることによって、照明素子３が取り付けられたリール線をリールに巻き取り、およびリールから巻き解くことによって照明素子３を昇降させる。照明素子３の昇降は、照明昇降装置１に接続された制御装置（図示せず）によるソフトウェア制御を通じて制御される。
【００１４】
サスバトン２は、舞台の天井に設置され、照明昇降装置１を吊るす舞台機構である。サスバトン２はまた、照明昇降装置１の電源を接続する器具接続用電源コンセントが組み込まれたコンセントボックスを有する装置でもある。本実施形態に係るサスバトン２は公知なものであるので詳細な説明は省略する。
【００１５】
照明素子３は、舞台の上方から光を照射する光源である。照明素子３は、リール線につながれ、照明昇降装置１の下方に吊るされる。照明素子３は、任意の形状を有する照明素子であり、ハロゲンライトまたはＬＥＤ（Light-Emitting Diode）などが使用される。照明素子３は、サスバトン２への負荷を考慮して、より軽量であることが望ましい。本実施形態に係る照明素子３も公知なものであるのでこれ以上の詳細な説明は省略する。
【００１６】
次に、図３を参照して、本発明の第１の実施形態に従った、照明昇降装置１の構造を説明する。照明昇降装置１は、筐体１０、リール１１、リール線１２、巻取ガイド１３、電動モータ１４、ガイドネジ１５、クラッチ１６、滑車１７、支柱１８、取付部１９、および取付フック２０を備える。
【００１７】
筐体１０は、直方体の形状を有する筐体であり、照明昇降装置１の全体を覆い、図３に示すように、開閉可能な構造を有する。この開閉可能な構造によって、照明昇降装置１の内部に設置された巻取ガイド１３を交換するなどのメンテナンス作業を容易にすることができる。筐体１０は、プラスチックまたは樹脂などの軽量の材質から構成されることが望ましい。
【００１８】
リール１１は、円筒形状を有し、その長手方向が筐体１０の長手方向と平行するように設置される。リール１１は、電動モータ１４と連結し、電動モータ１４の動作によって短手方向の軸を中心に回転する。リール１１の回転によって、リール線１２が１層巻きで巻き取られ、また、その逆の回転によってリール線１２が巻き解かれる。リール１１は、アルミなどの軽量の材質から構成されることが望ましい。なお、リール１１が有する形状は、円筒形状に限定されず、長手方向から見て長方形、かつ短手方向から見て正方形、三角形、五角形、または六角形などの任意の等辺等角形であってもよい。
【００１９】
リール線１２は、先端にコネクタ１２ａを有し、コネクタ１２ａを介して照明素子３を取り付ける。リール線１２は、照明昇降装置１の下部から下方に突出する。つまり、リール線１２の先端に取り付けられた照明素子３は、照明昇降装置１の下方に吊るされる。
【００２０】
巻取ガイド１３は、円筒形状を有する回転体である。巻取ガイド１３は、その長手方向がリール１１の長手方向と平行するように設置され、リール１１に巻き取られたリール線１２と接触する。リール１１の回転によって、リール１１に巻き取られたリール線１２と接触した巻取ガイド１３は、短手方向の軸を中心にリール１１と逆回転する。巻取ガイド１３は、リール線１２と接触するので、リール線１２の破損を防止するために、スポンジ、樹脂、またはゴムなどの弾性を有する材質から構成されることが望ましい。なお、巻取ガイド１３は、円筒形状に限定されず、長手方向から見て長方形、かつ短手方向から見て正方形、三角形、五角形、または六角形などの任意の等辺等角形であってもよい。
【００２１】
ガイドネジ１５は、その長手方向がリール１１の長手方向と平行するように設置され、リール１１および／または巻取ガイド１３の回転と連動して短手方向の軸を中心に回転する。ガイドネジ１５はガイドリング１５ａおよびリングブロック１５ｂを有する。
【００２２】
ガイドリング１５ａは、円筒形状を有する回転体であり、その軸孔にガイドネジ１５が挿通される。リングブロック１５ｂは、ガイドリング１５ａと下方に隣接し、その軸孔にガイドネジ１５が挿通される。ガイドリング１５ａは、ガイドネジ１５の回転と連動して回転し、ガイドネジ１５に沿って、ガイドリング１５ａの長手方向の側面がリール１１に巻き取られたリール線１２の最上部と対向するように上下移動する。リングブロック１５ｂは、ガイドリング１５ａの上下移動と連動して上下移動し、ガイドリング１５ａの下方への移動を制御する。リール線１２は、ガイドリング１５ａの回転に沿ってガイドリング１５ａの長手方向側面、クラッチ１６および滑車１７を辿り、照明昇降装置１の下部を抜けて突出する。このガイドリング１５ａが１回転することによって、リール１１にリール線１２が１回り巻き取られるように構成される。
【００２３】
クラッチ１６は、リール１１の下部に設置された回転体である。クラッチ１６は、リール線１２の動きに従って回転する。
【００２４】
支柱１８は、円筒形状を有し、その長手方向がリール１１の長手方向と平行するように設置され、筐体１０を支持する。支柱１８は、リール線１２のズレおよび／または弛みを防止する役割も果たすが、その詳細は後述する。なお、支柱１８は、円筒形状に限定されず、長手方向から見て長方形、かつ短手方向から見て正方形、三角形、五角形、または六角形などの任意の等辺等角形であってもよい。
【００２５】
取付部１９は、ネジ式またはボルト・ナット式構造を有し、照明昇降装置１をサスバトン２に取り付ける部材である。取付部１９によって、照明昇降装置１がサスバトン２に取り付けられ、サスバトン２から吊るされる。取付フック２０は、フックとワイヤとが連動した構造を有し、照明昇降装置１がサスバトン２から落下するのを防止する役割を果たす。
【００２６】
次に、図４を参照して、リール１１および巻取ガイド１３の詳細を説明する。図４（ａ）に示すように、リール１１は、リール線巻取面１１ａを有し、この部分にリール線１２が巻き取られる。図４（ｂ）に示すように、巻取ガイド１３は、リール線接触部１３ａを有し、この部分が、巻取ガイド１３の回転に従って、リール線巻取面１１ａに巻き取られるリール線１２と接触する。巻取ガイド１３は、アルミなどで構成された円筒形状を有する芯部に、スポンジなどの部材を巻きつけることによって構成される。
【００２７】
リール１１と巻取ガイド１３とは平行して設置され、リール線巻取面１１ａとリール線接触部１３ａとは長手方向で対向する。リール線接触部１３ａは、少なくとも、リール線巻取面１１ａよりも長手方向に同じ、または長くなるように構成される。すなわち、リール線接触部１３ａは、リール線巻取面１１ａの全体の対向面を覆うように構成される。この構成によって、リール線巻取面１１ａに巻き取られるリール線１２の全てが、リール線接触部１３ａと接触するようになる。
【００２８】
次に、図５を参照して、リール線１２をリール線巻取面１１ａに巻き取る際のリール１１、リール線１２、および巻取ガイド１３の関係を示す断面図である。図５は、照明昇降装置１がサスバトン２に吊るされた状態で、上方から見たときの断面を表している。
【００２９】
図５に示すように、リール１１は、短手方向の面の軸を中心に反時計回りに回転し、リール線１２もその回転に従って、反時計回りにリール線巻取面１１ａに巻き取られる。巻取ガイド１３は、リール１１の回転と連動して時計回りに回転する。リール１１と巻取ガイド１３とが相互に逆回転し、その間をリール線１２が通る。リール１１と巻取ガイド１３との間の距離Ｄ1は、少なくとも、リール線１２の直径Ｄr以下である。
【００３０】
リール１１および巻取ガイド１３が相互に逆回転することによって、その間を通るリール線１２には、図５に示す２方向への力が加わる。この構造によって、リール線１２が、リール１１および巻取ガイド１３の両方から挟み込まれ、リール線１２を巻き取る際の、リール線１２同士が重なり合うことを防止することができる。なお、巻取ガイド１３のリール線接触部１３ａを、より弾性の高い材質から構成し、リール線巻取面１１ａとの間の距離を短くすることによって（Ｄ1をＤr未満にする）、リール線１２を巻き取る際の円滑性を維持しつつ、リール線１２の重なり合いをより確実に防止することができる。
【００３１】
なお、本実施形態では、リール１１が反時計回りに回転する例を示したが、リール１１は時計回りに回転してもよい。この場合も同様に、巻取ガイド１３が反時計回りに回転し、両者が相互に逆回転することによって、リール線１２の重なりを防止することができる。
【００３２】
なお、上述したように、リール１１および巻取ガイド１３のいずれか、または両方が長手方向から見て長方形、短手方向から見て正方形、三角形、五角形、または六角形などの等辺等角形の形状を有する場合も、上述した効果と同様の効果を得ることができる。この場合、リール１１および巻取ガイド１３の両方が同一の形状および面積を有し、かつ両者の角部がリール線１２に同時に接触するように構成する必要がある。また、リール１１および巻取ガイド１３のいずれかが円筒形状を有している場合、他方を等辺等角形状にすることによっても、上述した効果と同様の効果を得ることができる。
【００３３】
次に、図６を参照して、リール１１および支柱１８の詳細を説明する。リール１１は、図４（ａ）で説明した構造と同様であるので、その説明を省略する。図６（ｂ）に示すように、支柱１８は、リール１１と平行して設置され、リール線巻取面１１ａと長手方向で対向する。支柱１８は、少なくとも、リール線巻取面１１ａよりも長手方向に同じ、または長くなるように構成される。すなわち、支柱１８は、リール線巻取面１１ａの全体の対向面を覆うように構成される。この構成によって、リール線巻取面１１ａに巻き取られるリール線１２の全てが、リール線接触部１３ａと支柱１８との間を通るようになる。
【００３４】
次に、図７を参照して、リール線１２をリール１１のリール線巻取面１１ａに巻き取る際のリール１１、リール線１２、および支柱１８の関係を示す断面図である。図７は、照明昇降装置１がサスバトン２に吊るされた状態で、上方から見たときの断面を表している。
【００３５】
図７に示すように、リール１１と支柱１８との間の距離Ｄ2、およびリール線１２の直径Ｄrは、以下の関係を満たす。
Ｄ2＜Ｄr×２  かつ  Ｄ2＞Ｄr
【００３６】
上記示したように、リール線巻取面１１ａと支柱１８との間の距離Ｄ2がリール線１２の直径Ｄrよりも長いので、リール線巻取面１１ａに巻き取られるリール線１２が支柱１８に接触しない。この構造によって、リール線１２が支柱１８に接触することによる磨耗を防止することができる。また、リール線巻取面１１ａと支柱１８との間の距離Ｄ2がリール線１２の直径Ｄrの２倍未満であるので、リール線巻取面１１ａに巻き取られるリール線１２が重なり合わない。この構造によって、上述した巻取ガイド１３の機能に加え、リール線１２の重なりをさらに確実に防止することができる。
【００３７】
なお、支柱１８の数は特に限定されないが、筐体１０が照明昇降装置１全体を覆うことを考慮して、複数配置されることが望ましい。支柱１８が複数配置されることによって、リール線１２の重なり合いをより確実に防止することができる。
【００３８】
また、リール１１および支柱１８のいずれか、または両方が、長手方向から見て長方形、かつ短手方向から見て正方形、三角形、五角形、または六角形などの等辺等角形を有する場合も、上述した効果と同様の効果を得ることができる。
【００３９】
次に、図８を参照して、リール線１２をリール線巻取面１１ａに巻き取る動作を説明する。図８に示すように、本実施形態に係る照明昇降装置１は、長手方向を縦にした状態でサスバトン２に吊るされ、リール線１２につながれた照明素子３が照明昇降装置１の下方に吊るされる。リール線１２は、リール線１２の重量、およびつながれた照明素子３の重量によって重力がかかった状態で、照明昇降装置１の下方に吊るされる。
【００４０】
照明昇降装置１がサスバトン２に吊るされる状態では、リール１１、巻取ガイド１３、ガイドネジ１５、および支柱１８がそれぞれ、長手方向を縦にした状態となる。リール１１、巻取ガイド１３、ガイドネジ１５、および支柱１８はそれぞれ平行して設置され、それぞれが相互に長手方向で対向する。ガイドリング１５ａは、リール線巻取面１１ａに巻き取られたリール線１２の最上部と対向するように上下移動する。この構造では、リール線１２は、リール線巻取面１１ａに横方向、かつリール線巻取面１１ａの下方から上方に向かって、ガイドリング１５ａを通じて巻き取られる。
【００４１】
上述したように、リール線１２は、巻取ガイド１３および支柱１８の上述した機能によって、巻き取る際に重なり合わない。そして、リール線１２に重力が加わるので、リール線１２を巻き取る際に、重力によって隣り合うリール線１２に引き付けられ、上述したようなズレが発生しない。また、ガイドリング１５ａがリール線１２の巻き取りに従って上下移動するので、リール線１２を規則正しく巻き取ることができる。
【００４２】
以上説明したように、リール線１２をリール１１に巻き取る際に、リール１１と巻取ガイド１３が相互に逆回転することによって、その間を通るリール線１２が相互から挟み込まれる状態となるので、リール線１２の重なり合いを防止することができる。また、リール１１と支柱１８との間の距離を上述した構成にすることによって、リール線１２の重なり合いをさらに確実に防止することができる。さらに、リール線１２に働く重力によって、リール線１２を巻き取る際のズレを防止することができる。以上のことから、本実施形態に係る照明昇降装置１は、簡易かつ軽量な構造を有し、リール線のズレおよび／または弛みを防止することができる。
【００４３】
なお、図では表さないが、クラッチ１６は、スプラグ式またはカム式などのワンウェイクラッチを採用してもよい。この場合、クラッチ１６は、リール線１２が下方に案内されるとき（つまり、リール線１２を巻き解き、照明素子３が下降するとき）のみ回転し、リール線１２が上方に案内されるとき（つまり、リール線１２を巻き取り、照明素子３が上昇するとき）は回転しないように構成してもよい。この構成によって、リール線１２を巻き取る際に、リール線１２にかかる重力が相殺されにくくなり、上述したリール線のズレが発生しにくくなる。
【００４４】
なお、本実施形態で述べたリール１１と支柱１８との間の距離について、上述した構成を必須とするものではない。上述した構成を有さない場合は、巻取ガイド１３の機能のみによって、リール線１２の重なり合いを防止することになる。
【００４５】
＜第２の実施形態＞
次に、図９を参照して、本発明の第２の実施形態に係る照明昇降装置１を説明する。本実施形態に係る照明昇降装置１は、第１の実施形態に係る照明昇降装置と比較して、ガイドネジ１５に相違点を有する。図９に示すように、ガイドネジ１５はガイドブロック２１を備え、その下部には、リール線固定部２２を備え、さらにその下部には、ガイドリング２３を備える。
【００４６】
ガイドブロック２１は、リール線巻取面１１ａと対向する面を有する。ガイドネジ１５は、ガイドブロック２１の軸孔に挿通され、ガイドネジ１５の回転と連動して、ガイドネジ１５に沿って上下移動する。この上下移動は、リール線１２のリール線巻取面１１ａへの巻き取りと連動するように構成される。リール線巻取面１１ａとガイドブロック２１の対向面との間は、わずかな隙間を有するが、その隙間の距離Ｄ3は、リール線１２の直径Ｄr未満である。
【００４７】
リール線固定部２２は、リール１１と平行して設置されたガイドネジ１５から突出し、リール１１のリール線巻取面１１ａの下部と長手方向で対向する。リール線巻取面１１ａとリール線固定部２２との間は、わずかな隙間を有するが、その隙間の距離Ｄ4は、リール線１２の直径Ｄr未満である。
【００４８】
ガイドリング２３は、ガイドネジ１５のリール線固定部２２よりも下方に設置され、滑車１７から案内されるリール線１２を案内する。リール線１２は、ガイドリング２３の曲面に沿って、リール線固定部２２とガイドブロック２１との間を通って上方に案内される。
【００４９】
リール線１２は、リール線固定部２２によって巻き取り開始部分が下方で固定され、ガイドブロック２１の上方への移動と連動して、リール線巻取面１１ａに巻き取られる。このようにして、リール線１２を巻き取る際の始点が固定されるので、巻き取りの際のリール線の弛みをさらに防止することができる。また、ガイドブロック２１の上方への移動に連動して、リール線１２が巻き取られるので、リール線１２を規則正しく巻き取ることができる。
【００５０】
なお、本実施形態では、リール線固定部２２およびガイドリング２３がガイドネジ１５に設置された例を示しているが、このような構成に限定されない。例えば、上述したのと同様に、支柱１８にリール線固定部２２およびガイドリング２３を設置してもよい。また、リール線固定部２２がガイドネジ１５に設置され、ガイドリング２３が支柱１８に設置されてもよく、その逆もまた同様である。
【００５１】
また、本実施形態では、リール線１２のコネクタ１２ａに照明素子３を取り付ける例を示したが、そのような例に限定されない。例えば、図１０に示すように、複数の照明素子が組み込まれた矩形形状（棒状）の照明素子装置４を、複数の照明昇降装置１によって吊るしてもよい（第３の実施形態）。このような構成では、当該照明素子装置を昇降させることによって、複数の照明素子からの光が連動して、実施形態で説明した構成とは異なる演出を創り出すことができる。また、図１１に示すように、照明素子３の代わりに、鏡５を吊るしてもよい（第４の実施形態）。この構成では、舞台の天井などに光源（図示せず）を設置し、当該照明装置から鏡５に光を照射し、鏡５を昇降させることによって、やはり実施形態で説明した構成とは異なる演出を創り出すことができる。
【００５２】
また、上述した照明素子３、照明素子装置４、および鏡のいずれか複数の組み合わせを複数の照明昇降装置１で吊るし、それらの昇降を制御（ソフトウェア制御によって）することによって、より効果的な演出を創り出すことができる。例えば、上述した複数の組合せのそれぞれを経時的に昇降させることによって、３次元の演出を創り出すことができる。
【符号の説明】
【００５３】
１    照明昇降装置
２    サスバトン
３    照明素子
４    照明素子装置
５    鏡
１０    筐体
１１    リール
１１ａ  リール線巻取面
１２    リール線
１２ａ  コネクタ
１３    巻取ガイド
１３ａ  リール線接触部
１４    電動モータ
１５    ガイドネジ
１５ａ  ガイドリング
１５ｂ  リングブロック
１６    クラッチ
１７    滑車
１８    支柱
１９    取付部
２０    取付フック
２１    ガイドブロック
２２    リール線固定部
２３    ガイドリング
【図１】
2017195119.tif 000003
【図２】
2017195119.tif 000004
【図３】
2017195119.tif 000005
【図４】
2017195119.tif 000006
【図５】
2017195119.tif 000007
【図６】
2017195119.tif 000008
【図７】
2017195119.tif 000009
【図８】
2017195119.tif 000010
【図９】
2017195119.tif 000011
【図１０】
2017195119.tif 000012
【図１１】
2017195119.tif 000013